【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
３Ｄ拡張現実ディスプレイであって、
利用者に表示するための仮想３Ｄ画像を提供するマイクロディスプレイと、
前記マイクロディスプレイから照射光を受け取るように構成された可変焦点ディスプレイ光学部品であって、当該可変焦点光学部品により変更される位置において、前記受け取った照射光から３Ｄライトフィールドを生成するように構成されているものである、前記可変焦点ディスプレイ光学部品と、
前記ディスプレイ光学部品と光学的に通信するアイピースであって、前記ディスプレイ光学部品から前記３Ｄライトフィールドを受け取り、拡張現実ディスプレイの出射瞳へ前記受け取った照射光を伝達するように構成されたアイピースと
を有する３Ｄ拡張現実ディスプレイ。
【請求項２】
請求項１記載の３Ｄ拡張現実ディスプレイにおいて、前記可変焦点ディスプレイ光学部品は、液晶レンズ、液体レンズ、メンブレンミラー（ｍｅｍｂｒａｎｅ  ｍｉｒｒｏｒ）、または複屈折レンズのうち１若しくはそれ以上を含むものである３Ｄ拡張現実ディスプレイ。
【請求項３】
請求項１または２記載の３Ｄ拡張現実ディスプレイにおいて、
シーン（ｓｃｅｎｅ）から情報を受け取るように構成されたイメージング装置を有するものである３Ｄ拡張現実ディスプレイ。
【請求項４】
３Ｄ拡張現実ディスプレイであって、
利用者に表示するための仮想３Ｄ画像を提供するマイクロディスプレイと、
前記マイクロディスプレイから照射光を受け取り、当該受け取った照射光から３Ｄライトフィールドを生成するように構成されたディスプレイ光学部品と、
前記ディスプレイ光学部品と光学的に通信するアイピースであって、前記ディスプレイ光学部品から前記３Ｄライトフィールドを受け取り、当該拡張現実ディスプレイの出射瞳へ前記受け取った照射光を伝達するように構成されたアイピースと、
シーンから情報を受け取るように構成されたイメージング装置と
を有する３Ｄ拡張現実ディスプレイ。
【請求項５】
請求項３または４記載の３Ｄ拡張現実ディスプレイにおいて、前記イメージング装置は、カメラを有するものである３Ｄ拡張現実ディスプレイ。
【請求項６】
請求項３〜５のいずれか１つに記載の３Ｄイメージング拡張現実ディスプレイにおいて、前記イメージング装置は、インテグラルイメージング画像キャプチャシステムを有するものである３Ｄイメージング拡張現実ディスプレイ。
【請求項７】
請求項３〜６のいずれか１つに記載の３Ｄイメージング拡張現実ディスプレイにおいて、前記イメージング装置は、軸方向に分散されたイメージングを使った３Ｄイメージングキャプチャシステムを有するものである３Ｄイメージング拡張現実ディスプレイ。
【請求項８】
請求項３〜７のいずれか１つに記載の３Ｄ拡張現実ディスプレイにおいて、前記イメージング装置は、当該イメージング装置が受け取った情報を解析し、当該解析した情報について物体認識を実行する情報キャプチャユニットを含むものである３Ｄ拡張現実ディスプレイ。
【請求項９】
請求項３〜８のいずれか１つに記載の３Ｄ拡張現実ディスプレイにおいて、前記イメージング装置は、前記マイクロディスプレイと通信可能に設けられ、前記マイクロディスプレイに前記解析結果を提供するものである３Ｄ拡張現実ディスプレイ。
【請求項１０】
請求項１〜９のいずれか１つに記載の３Ｄイメージング拡張現実ディスプレイおよび物体認識において、前記画像キャプチャ装置は、被写界深度に関して強化された性能を提供する可変焦点距離光学部品を含むものである３Ｄイメージング拡張現実ディスプレイおよび物体認識。
【請求項１１】
請求項１〜１０のいずれか１つに記載の３Ｄ拡張現実ディスプレイにおいて、前記ディスプレイ光学部品は、インテグラルイメージング光学部品を有するものである３Ｄ拡張現実ディスプレイ。
【請求項１２】
請求項１〜１１のいずれか１つに記載の３Ｄ拡張現実ディスプレイにおいて、前記アイピースは選択された表面を有し、この選択された表面は、前記ディスプレイ光学部品から前記３Ｄライトフィールドを受け取り、前記受け取った照射光を前記出射瞳へ反射するように構成され、かつ、当該選択された表面は、前記マイクロディスプレイ以外の光源から照射光を受け取り、前記出射瞳に前記照射光を伝達するように構成されるものである３Ｄ拡張現実ディスプレイ。
【請求項１３】
請求項１〜１２のいずれか１つに記載の３Ｄ拡張現実ディスプレイにおいて、前記アイピースは、自由曲面プリズム形状を有するものである３Ｄ拡張現実ディスプレイ。
【請求項１４】
請求項１〜１３のいずれか１つに記載の３Ｄ拡張現実ディスプレイにおいて、前記アイピースは、前記ディスプレイ光学部品から照射光を受け取り、当該照射光を屈折させるように構成された第１の表面を有し、かつ、前記第１の表面から屈折した照射光を受け取るように構成された第２の表面を有し、当該第２の表面は前記アイピースの第３の表面へ前記照射光を反射するように構成され、当該第３の表面は前記第２の表面から反射された照射光を前記出射瞳へ反射するように構成されるものである３Ｄ拡張現実ディスプレイ。
【請求項１５】
請求項１４記載の３Ｄ拡張現実ディスプレイにおいて、
前記アイピースの前記第２の表面に隣接して設けられた補正レンズを有するものである３Ｄ拡張現実ディスプレイ。
【請求項１６】
請求項１〜１５のいずれか１つに記載の３Ｄ拡張現実ディスプレイにおいて、前記アイピースの前記表面のうち１若しくはそれ以上は、回転非対称な表面を有するものである３Ｄ拡張現実ディスプレイ。
【請求項１７】
請求項１〜１６のいずれか１つに記載の３Ｄ拡張現実ディスプレイにおいて、前記アイピースは、ウェッジ形状を有するものである３Ｄ拡張現実ディスプレイ。
【請求項１８】
請求項１〜１７のいずれか１つに記載の３Ｄ拡張現実ディスプレイにおいて、前記アイピースは、次式で表される表面を有し、
【数２】
2017516154.tif 000001
式中、ｚは局所的なｘ、ｙ、ｚ座標系のＺ軸に沿って測定された自由曲面のサグ量、ｃは頂点曲率（ｖｅｒｔｅｘ  ｃｕｒｖａｔｕｒｅ：ＣＵＹ）ｃ、ｒは半径方向の距離、ｋは円錐定数、Ｃｊはｘｍｙｎの係数である３Ｄ拡張現実ディスプレイ。
【請求項１９】
請求項１〜１８のいずれか１つに記載の３Ｄ拡張現実ディスプレイにおいて、前記ディスプレイ光学部品は、ホログラムディスプレイ、多層計算ライトフィールドディスプレイ、および体積ディスプレイとのうち１若しくはそれ以上を有するものである３Ｄ拡張現実ディスプレイ。
【請求項２０】
請求項１〜１９のいずれか１つに記載の３Ｄイメージング拡張現実ディスプレイにおいて、前記３Ｄライトフィールドは、全方向視差を提供するものである３Ｄイメージング拡張現実ディスプレイ。
【請求項２１】
請求項１〜２０のいずれか１つに記載の３Ｄイメージング拡張現実ディスプレイにおいて、前記３Ｄライトフィールドは、部分的な視差を提供するものである３Ｄイメージング拡張現実ディスプレイ。
【手続補正２】
【補正対象書類名】明細書
【補正対象項目名】０００７
【補正方法】変更
【補正の内容】
【０００７】
このような展望にもかかわらず、既存のＯＳＴ−ＨＭＤには多数の問題、例えばＡＲディスプレイの視覚的な不快感が残されている。そのため、当該技術分野において、視覚的な快適さを高めるとともに低コスト・高性能・軽量の真の３ＤＯＳＴ−ＨＭＤシステムを実現するＯＳＴ−ＨＭＤを提供することは大きな前進である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１２／１１３０９２号明細書
（特許文献２）  米国特許出願公開第２０１１／０７５２５７号明細書
（特許文献３）  米国特許出願公開第２０１３／３００６３４号明細書